(57)【要約】      （修正有）【課題】マイナンバーのチェックの容易化と情報漏えいの防止とのトレードオフを解消する画像処理装置を提供する。【解決手段】クライアント端末は、印刷対象の情報に含まれるマイナンバーを検知するマイナンバー検知部３２１と、印刷対象の情報に含まれるマイナンバー以外の項目であって印刷対象の情報においてマイナンバーと関連付けて表示されている項目の情報とマイナンバーとが関連付けられた変換情報ＤＢ３１３から、印刷対象の情報において検知されたマイナンバーに関連付けられた情報を取得する変換情報取得部３２２と、変換情報ＤＢから取得した情報を用いて印刷対象の情報に含まれるマイナンバーを変換し、マイナンバーが変換された印刷対象の情報に基づいて印刷データを生成する情報変換処理部３２３と、を有する。【選択図】図５
2016224857.tif 000002
【特許請求の範囲】
【請求項１】
画像形成装置に画像形成出力を実行させるための印刷情報を印刷対象の情報に基づいて生成する画像処理装置であって、
前記印刷対象の情報に含まれるマイナンバーを検知するマイナンバー検知部と、
前記印刷対象の情報に含まれる前記マイナンバー以外の項目であって前記印刷対象の情報においてマイナンバーと関連付けて表示されている項目の情報とマイナンバーとが関連付けられた関連付け情報から、前記印刷対象の情報において検知された前記マイナンバーに関連付けられた情報を変換情報として取得する変換情報取得部と、
前記関連付け情報から取得した変換情報を用いて前記印刷対象の情報に含まれるマイナンバーを変換する情報変換処理部と、
前記マイナンバーが変換された前記印刷対象の情報に基づいて前記印刷情報を生成する印刷情報生成部とを含むことを特徴とする画像処理装置。
【請求項２】
前記変換情報取得部は、複数の前記項目について優先順位が設定された優先順位情報を参照し、前記印刷対象の情報に含まれる複数の前記項目の情報のうち、前記関連付け情報における優先順位が最も高い項目を選択して、前記印刷対象の情報において検知された前記マイナンバーに関連付けられた情報を取得することを特徴とする請求項１に記載の画像処理装置。
【請求項３】
前記変換情報取得部は、ユーザによる選択操作に応じて複数の前記項目のいずれかを選択して、前記印刷対象の情報において検知された前記マイナンバーに関連付けられた情報を取得することを特徴とする請求項１に記載の画像処理装置。
【請求項４】
前記変換情報取得部は、前記印刷対象の情報に含まれる複数の前記項目が選択肢として表示された画面であって、複数の前記項目のいずれかをユーザに選択させるための選択画面を生成して出力することを特徴とする請求項３に記載の画像処理装置。
【請求項５】
前記マイナンバー検知部は、前記印刷対象の情報において予め定められた位置に表示される情報を解析することにより、前記印刷対象の情報に含まれるマイナンバーを検知することを特徴とする請求項１乃至４いずれか1項に記載の画像処理装置。
【請求項６】
前記マイナンバー検知部は、前記印刷対象の情報において予め定められた位置に表示される情報を解析し、予め定められた条件に合致する文字列情報が存在する場合にマイナンバーとして検知することを特徴とする請求項５に記載の画像処理装置。
【請求項７】
画像形成装置に画像形成出力を実行させるための印刷情報を印刷対象の情報に基づいて生成する画像処理方法であって、
前記印刷対象の情報に含まれるマイナンバーを検知し、
前記印刷対象の情報に含まれる前記マイナンバー以外の項目であって前記印刷対象の情報においてマイナンバーと関連付けて表示されている項目の情報とマイナンバーとが関連付けられた関連付け情報から、前記印刷対象の情報において検知された前記マイナンバーに関連付けられた情報を変換情報として取得し、
前記関連付け情報から取得した変換情報を用いて前記印刷対象の情報に含まれるマイナンバーを変換し、
前記マイナンバーが変換された前記印刷対象の情報に基づいて前記印刷情報を生成することを特徴とする画像処理方法。
【請求項８】
画像形成装置に画像形成出力を実行させるための印刷情報を印刷対象の情報に基づいて生成する画像処理プログラムであって、
前記印刷対象の情報に含まれるマイナンバーを検知するステップと、
前記印刷対象の情報に含まれる前記マイナンバー以外の項目であって前記印刷対象の情報においてマイナンバーと関連付けて表示されている項目の情報とマイナンバーとが関連付けられた関連付け情報から、前記印刷対象の情報において検知された前記マイナンバーに関連付けられた情報を変換情報として取得するステップと、
前記関連付け情報から取得した変換情報を用いて前記印刷対象の情報に含まれるマイナンバーを変換するステップと、
前記マイナンバーが変換された前記印刷対象の情報に基づいて前記印刷情報を生成するステップとを情報処理装置に実行させることを特徴とする画像処理プログラム。
【発明の詳細な説明】
【技術分野】
【０００１】
本発明は、画像処理装置、画像処理方法及び画像処理プログラムに関する。
【背景技術】
【０００２】
国民を識別する番号であるマイナンバーを個人別に設定し、行政上の手続きなどに利用する方法が提案されている。このマイナンバーは個人を特定する上で非常に重要な意味を持つ情報であり、悪用をふせぐために情報の漏えいについては特に注意する必要がある。
【０００３】
マイナンバーの漏えいを防ぐための方法として、マイナンバーを含む情報を画像として出力する際に、マイナンバーをコード情報に変換する方法が提案されている（例えば特許文献１参照）。
【発明の概要】
【発明が解決しようとする課題】
【０００４】
企業等の組織で大量のマイナンバーを取り扱う際、間違ったマイナンバーによって手続きが行われると、その手続きは行政上の手続きであることも多く、弊害が大きいため、マイナンバーの取り扱いについては入念なチェックが求められる。そのようなチェックのために、やはりマイナンバーの紙出力が求められる場合がある。
【０００５】
特許文献１に開示された技術においては、マイナンバーがコード情報に変換されるため、出力された画像を第三者が盗み見たとしても、マイナンバーが漏洩することはない。しかしながら、マイナンバー自体が表示されるわけではないため、元々表示されるはずであったマイナンバーの情報が正しいか否かをチェックするという目的には合致しない。即ち、マイナンバーのチェックの容易化と情報漏えいの防止とはトレードオフの関係にある。
【０００６】
本発明は、このような課題を解決するためになされたものであり、マイナンバーのチェックの容易化と情報漏えいの防止とのトレードオフを解消することを目的とする。
【課題を解決するための手段】
【０００７】
上記課題を解決するために、本発明の一態様は、画像形成装置に画像形成出力を実行させるための印刷情報を印刷対象の情報に基づいて生成する画像処理装置であって、前記印刷対象の情報に含まれるマイナンバーを検知するマイナンバー検知部と、前記印刷対象の情報に含まれる前記マイナンバー以外の項目であって前記印刷対象の情報においてマイナンバーと関連付けて表示されている項目の情報とマイナンバーとが関連付けられた関連付け情報から、前記印刷対象の情報において検知された前記マイナンバーに関連付けられた情報を変換情報として取得する変換情報取得部と、前記関連付け情報から取得した変換情報を用いて前記印刷対象の情報に含まれるマイナンバーを変換する情報変換処理部と、前記マイナンバーが変換された前記印刷対象の情報に基づいて前記印刷情報を生成する印刷情報生成部とを含むことを特徴とする。
【発明の効果】
【０００８】
本発明によれば、マイナンバーのチェックの容易化と情報漏えいの防止とのトレードオフを解消することができる。
【図面の簡単な説明】
【０００９】
【図１】本発明の実施形態に係るシステムの運用形態を示す図である。
【図２】本発明の実施形態に係る情報処理装置のハードウェア構成を示すブロック図である。
【図３】本発明の実施形態に係るクライアント端末の機能構成を示すブロック図である。
【図４】本発明の実施形態に係るクライアントアプリケーションの機能構成を示すブロック図である。
【図５】本発明の実施形態に係るマイナンバー変換処理部の機能構成を示すブロック図である。
【図６】本発明の実施形態に係るマイナンバー検知条件情報の例を示す図である。
【図７】本発明の実施形態に係る変換情報ＤＢの内容を示す図である。
【図８】本発明の実施形態に係るマイナンバーを含む画像情報の印刷データの送信動作を示すフローチャートである。
【図９】本発明の実施形態に係る出力対象画像の例を示す図である。
【図１０】本発明の実施形態に係る出力対象画像の変換結果を示す図である。
【図１１】本発明の実施形態に係る出力対象画像の例を示す図である。
【図１２】本発明の実施形態に係る出力対象画像の変換結果を示す図である。
【図１３】本発明の実施形態に係る印刷対象の情報中に含まれるタグ情報の例を示す図である。
【図１４】本発明の実施形態に係る変換情報の優先順位及びタグ情報との関連付けの情報を示す図である。
【図１５】本発明の実施形態に係る変換情報選択画面の例を示す図である。
【発明を実施するための形態】
【００１０】
以下、図面を参照して、本発明の実施形態について説明する。本実施形態においては、ＰＣ（Ｐｅｒｓｏｎａｌ  Ｃｏｍｐｕｔｅｒ）をはじめとした情報処理装置とプリンタ等の画像形成装置とによって構成されるシステムにおいて、マイナンバーを含む画像を印刷出力する際の動作を特徴として説明する。マイナンバーを含む画像を印刷出力する際に、マイナンバーのチェックが可能な状態でマイナンバーを他の情報に変換することが本実施形態に係る特徴の１つである。
【００１１】
図１は、本実施形態に係るシステムの運用形態を示す図である。図１に示すように、本実施形態に係るシステムは、ＭＦＰ（ＭｕｌｔｉＦｕｎｃｔｉｏｎ  Ｐｅｒｉｐｈｅｒａｌ）１及びクライアント端末２が、ネットワークを介して通信可能に接続されて成されている。
【００１２】
夫々の機器が接続されるネットワークは、例えばオフィス内ＬＡＮ（Ｌｏｃａｌ  Ａｒｅａ  Ｎｅｔｗｏｒｋ）等の特定範囲内のネットワークである。また、ネットワークを介して接続される場合の他、ＵＳＢ（Ｕｎｉｖｅｒｓａｌ  Ｓｅｒｉａｌ  Ｂｕｓ）インタフェース等を介してＭＦＰ１とクライアント端末２とが１対１で接続されても良い。
【００１３】
ＭＦＰ１は、オフィスに供えられている画像処理装置であり、本システムにおいては、クライアント端末２から送信される印刷ジョブに従って画像形成出力を実行する一般的な装置である。クライアント端末２は、ＰＣやスマートホン、タブレット端末等の情報処理端末であり、ＭＦＰ１に画像形成出力を実行させるための印刷データを生成するプリンタドライバがインストールされている。尚、ＭＦＰ１も、クライアント端末２と同様に情報処理装置としての構成を有する。
【００１４】
次に、本実施形態に係るＭＦＰ１、クライアント端末２の情報処理装置のハードウェア構成について図２を参照して説明する。尚、ＭＦＰ１は、図２に示すハードウェア構成に加えて、スキャナ、プリンタ等を実現するためのエンジンを備える。
【００１５】
図２に示すように、本実施形態に係る情報処理装置は、一般的なサーバやＰＣ等と同様の構成を含む。即ち、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００１６】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００１７】
Ｉ／Ｆ５０は、バス８０と各種のハードウェアやネットワーク等を接続し制御する。ＬＣＤ６０は、ユーザが情報処理装置の状態を確認するための視覚的ユーザインタフェースである。操作部７０は、キーボードやマウス等、ユーザが情報処理装置に情報を入力するためのユーザインタフェースである。
【００１８】
このようなハードウェア構成において、ＲＯＭ３０に格納されたプログラムや、ＨＤＤ４０若しくは図示しない光学ディスク等の記憶媒体からＲＡＭ２０にロードされたプログラムに従ってＣＰＵ１０が演算を行うことにより、ソフトウェア制御部が構成される。このようにして構成されたソフトウェア制御部と、ハードウェアとの組み合わせによって、本実施形態に係るＭＦＰ１、クライアント端末２の機能を実現する機能ブロックが構成される。
【００１９】
次に、本実施形態に係るクライアント端末２の機能構成について説明する。図３に示すように、本実施形態に係るクライアント端末２は、図３において説明したＬＣＤ６０、操作部７０に加えて、コントローラ２００、ネットワークＩ／Ｆ２１０を含む。また、コントローラ２００は、ネットワーク制御部２０１、操作制御部２０２、表示制御部２０３及びクライアントアプリケーション３００を含む。
【００２０】
ネットワークＩ／Ｆ２１０は、クライアント端末２がネットワークを介して他の機器と通信するためのインタフェースである。ネットワークＩ／Ｆ２１０としては、例えばＥｔｈｅｒｎｅｔ（登録商標）、Ｂｌｕｅｔｏｏｔｈ（登録商標）、ＷｉＦｉ（Ｗｉｒｅｌｅｓｓ  Ｆｉｄｅｌｉｔｙ）、ＵＳＢ等のインタフェースが用いられる。
【００２１】
コントローラ２００は、ソフトウェアとハードウェアとの組み合わせによって構成される。コントローラ２００は、クライアント端末２全体を制御する制御部である。ネットワーク制御部２０１は、ネットワークＩ／Ｆ２１０を介して入力される情報を取得すると共に、ネットワークＩ／Ｆ２１０を介して他の機器に情報を送信する。
【００２２】
操作制御部２０２は、操作部７０に対するユーザによる操作内容の信号を取得し、クライアントアプリケーション３００等のクライアント端末２において動作するモジュールに入力する。表示制御部２０３は、クライアントアプリケーション３００のＧＵＩ（Ｇｒａｐｈｉｃａｌ  Ｕｓｅｒ  Ｉｎｔｅｒｆａｃｅ）等、クライアント端末２の状態等の各種の情報をＬＣＤ６０に表示させる。
【００２３】
クライアントアプリケーション３００は、クライアント端末２において各種の機能を提供するソフトウェアモジュールであり、夫々の機能に対応したソフトウェア・プログラムによって構成される。図４を参照して、本実施形態に係るクライアントアプリケーション３００について説明する。
【００２４】
図４に示すように、クライアントアプリケーション３００は、文書編集アプリケーション３０１、画像編集アプリケーション３０２及びファイル管理アプリケーション３０３及びプリンタドライバ３１０を含む。文書編集アプリケーション３０１、画像編集アプリケーション３０２及びファイル管理アプリケーション３０３は、夫々文書編集機能、画像編集機能、ファイル管理機能を提供するアプリケーションである。文書編集アプリケーション３０１、画像編集アプリケーション３０２及びファイル管理アプリケーション３０３は、ユーザの操作に従い、印刷出力対象の情報をプリンタドライバ３１０に入力する。
【００２５】
プリンタドライバ３１０は、クライアント端末２からＭＦＰ１に対して印刷ジョブを送信する際に、印刷データを生成する。また、本実施形態に係るプリンタドライバ３１０は、印刷データの生成に際して、印刷出力対象の情報に含まれるマイナンバーを検知して抽出し、抽出したマイナンバーを他の情報に変換する機能を有する。
【００２６】
図４に示すように、本実施形態に係るプリンタドライバ３１０は、情報取得部３１１、マイナンバー変換処理部３１２、変換情報ＤＢ３１３、印刷データ生成部３１４、印刷データ出力部３１５を含む。情報取得部３１１は、文書編集アプリケーション３０１、画像編集アプリケーション３０２及びファイル管理アプリケーション３０３から、印刷対象の文書情報や画像情報等を取得する。情報取得部３１１は、操作部７０に対する操作に従って操作制御部２０２から操作情報を取得する。
【００２７】
マイナンバー変換処理部３１２は、情報取得部３１１が取得した印刷対象の情報を解析し、その中に含まれるマイナンバーを他の情報に変換する。変換情報ＤＢ３１３は、マイナンバーを他の情報に変換する際に参照される変換情報が登録されたデータベースである。
【００２８】
印刷データ生成部３１４は、情報取得部３１１が取得した印刷対象の情報に基づいて印刷データを生成する。この印刷データが、画像形成装置であるＭＦＰ１に画像形成出力を実行させるための印刷情報であり、印刷データ生成部３１４が印刷情報生成部として機能する。印刷データ出力部３１５は、印刷データ生成部３１４が生成した印刷データを、ＭＦＰ１に対してネットワーク制御部２０１に送信させる。
【００２９】
次に、本実施形態に係るマイナンバー変換処理部３１２の機能構成について図５を参照して説明する。図５に示すように、マイナンバー変換処理部３１２は、マイナンバー検知部３２１、変換情報取得部３２２及び情報変換処理部３２３を含む。
【００３０】
マイナンバー検知部３２１は、情報取得部３１１から印刷対象の情報を取得し、印刷対象に含まれるマイナンバーを検知する。本実施形態に係るマイナンバー検知部３２１は、図６に示すようなマイナンバー検知条件情報に基づいてマイナンバーを検知し、検知したマイナンバーを抽出する。図６に示すように、本実施形態に係るマイナンバー検知条件情報は、“検知対象領域”及び“検知条件”の情報を含む。
【００３１】
“検知対象領域”は、印刷対象の情報においてマイナンバーの有無を確認する対象の位置を特定するための情報である。“検知条件”は、マイナンバーの有無を判断するための条件の情報である。マイナンバー検知部３２１は、“検知対象領域”によって特定される位置に、“検知条件”に合致する情報が存在する場合に、マイナンバーを検知する。図６の例の場合、マイナンバー検知部３２１は、印刷対象の情報において（Ｘ１，Ｙ１）−（Ｘ２，Ｙ２）の領域に１２桁の数字が表示される場合、印刷対象の情報にマイナンバーが含まれると判断し、その１２桁の数字を抽出する。
【００３２】
変換情報取得部３２２は、マイナンバー検知部３２１が抽出した１２桁の数字に基づいて変換情報ＤＢ３１３から変換情報を取得する。図７を参照して、本実施形態に係る変換情報ＤＢの内容について説明する。図７に示すように、本実施形態に係る変換情報ＤＢ３１３に格納された情報は、“社員番号”、“氏名”、“メールアドレス”、“画像パス”、“所属”及び“マイナンバー”が関連付けられた関連付け情報である。
【００３３】
図７に示す情報のうち、“社員番号”、“氏名”、“メールアドレス”、“画像パス”、“所属”が、変換情報として用いられる。これらの情報は、印刷対象の情報に含まれる項目であって、印刷対象の情報においてマイナンバーと関連付けて表示されている情報の候補である。変換情報取得部３２２は、マイナンバー検知部３２１が抽出したマイナンバーに関連付けられている情報を変換情報として抽出する。
【００３４】
本実施形態に係る変換情報取得部３２２は、印刷対象の情報に含まれるタグ情報に基づき、“社員番号”、“氏名”、“メールアドレス”、“画像パス”、“所属”のうちいずれを変換情報として用いるか決定する。情報変換処理部３２３は、マイナンバー検知部３２１が検知したマイナンバーを変換情報取得部３２２が取得した変換情報で変換した変換後の印刷対象の情報を生成する。
【００３５】
次に、本実施形態に係るプリンタドライバ３１０による印刷データの生成、送信動作について図８を参照して説明する。図８に示すように、まずは情報取得部３１１が印刷対象の文書情報を取得する（Ｓ８０１）。そして、マイナンバー変換処理部３１２のマイナンバー検知部３２１が上述したようにマイナンバー検知処理を行う（Ｓ８０２）。
【００３６】
Ｓ８０２の処理により印刷対象の情報中にマイナンバーが検知されなければ（Ｓ８０３／ＮＯ）、マイナンバー変換処理部３１２はその結果を情報取得部３１１に通知し、印刷データ生成部３１４がそのまま印刷データの生成処理を行う（Ｓ８０７）。他方、マイナンバーが検知された場合（Ｓ８０３／ＹＥＳ）、マイナンバー検知部３２１は検知結果に従ってマイナンバーを抽出する。
【００３７】
マイナンバーが抽出されると、変換情報取得部３２２は、図７に示す“社員番号”、“氏名”、“メールアドレス”、“画像パス”、“所属”のうち、どの項目を変換情報として用いるか決定する（Ｓ８０４）。Ｓ８０４の処理の詳細については後述する。
【００３８】
変換情報取得部３２２は、変換情報を決定すると、抽出されたマイナンバーに基づいて変換情報ＤＢ３１３に記憶されている変換情報を検索して取得する（Ｓ８０５）。変換情報取得部３２２が変換情報を取得すると、情報変換処理部３２３が、抽出されたマイナンバーを変換情報に変換した印刷対象の情報を生成する（Ｓ８０６）。
【００３９】
図９は、印刷対象の情報の例を示す図である。図９の例においては、複数の人についての“氏名”、“所属”、“メールアドレス”、“マイナンバー”がリスト状に表示された情報が印刷対象の情報である。図１０は、Ｓ８０６の処理によりマイナンバーの情報が氏名に変換された状態を示す図である。
【００４０】
図１０のような変換処理により、変換後の印刷対象の情報においては、マイナンバーの欄に氏名の情報が表示された状態となり、図１０に示す画像が印刷結果として出力されることとなる。図１０に示すように、マイナンバーが図７に示すデータベースに基づいて他の情報に変換された状態であれば、マイナンバーそのものが表示されていない。そのため、印刷物が盗み見られたり、持ち出されたりした場合であっても、マイナンバーが漏えいしてしまうことを防ぐことが出来る。
【００４１】
また、変換された後の情報は、印刷対象の情報としてマイナンバーと関連付けて表示されている情報であり、図１０の例においては“氏名”の情報である。このため、印刷物を確認してマイナンバーが間違っていないか否かチェックを行うチェック者は、関連付けられて表示されている二つの氏名が一致するか否かを確認すればよい。図１０の例においては、同一の行に表示されている二つの氏名の一致を確認すれば良い。従って、マイナンバーの漏えいを防ぎつつ、マイナンバーのチェックを容易に行うことが出来る。
【００４２】
図１１は、印刷対象の情報の他の態様を示す図である。図１１の例においては、１人分の情報が表示される印刷対象の情報を例としている。図１２は、Ｓ８０６の処理により図１１のマイナンバーの情報が氏名に変換された状態を示す図である。図１１、図１２の態様においても、図９、図１０と同様に、マイナンバーのチェックの容易化と情報漏えいの防止とのトレードオフを解消することができる。
【００４３】
Ｓ８０６の処理により情報変換処理部３２３により変換後の印刷対象の情報が生成されると、その情報に基づいて印刷データ生成部３１４が印刷データを生成する（Ｓ８０７）。そして、印刷データ出力部３１５が、ネットワーク制御部２０１に印刷データを送信させる（Ｓ８０８）。このような処理により、本実施形態に係る印刷データの生成、送信動作が完了する。
【００４４】
次に、Ｓ８０４の変換情報の決定処理について説明する。本実施形態に係る変換情報取得部３２２は、印刷対象の情報に含まれるタグ情報に基づいて変換情報の項目を決定する。図１３は、本実施形態に係る印刷対象の情報に含まれるタグ情報の例を示す図である。図１３の例においては、“社員氏名”、“社員メールアドレス”、“社員番号”の情報が印刷対象の情報に含まれていることがわかる。
【００４５】
変換情報取得部３２２は、タグ情報及び変換情報の組合せについて優先順位が設定された図１４に示すような情報を保持しており、印刷対象の情報から抽出されたタグ情報のうち、最も優先度の高いタグ情報に関連付けられている“変換情報”を用いる。図１４に示す情報が優先順位情報として用いられる。
【００４６】
上述したように、本実施形態に係る印刷データの生成処理においては、マイナンバーの変換後の情報が印刷対象の情報においてマイナンバーと関連付けて表示されていることが特徴の１つである。これにより、図１０や図１２に示すように、変換後の情報と予め表示された情報とが一致するか否かをチェックすることにより、印刷対象の情報に含まれていたマイナンバーの成否をチェックすることが出来る。
【００４７】
図１３、図１４の例において変換情報取得部３２２は、印刷対象の情報に含まれているマイナンバー以外の他の項目を、タグ情報を解析することによって抽出し、抽出された項目に応じて変換情報を決定する。そのため、上述したように、印刷対象の情報においてマイナンバーと関連付けて表示されている他の項目を、変換情報として用いることが可能であり、印刷対象の情報に応じて自動的に変換情報を決定することが出来る。
【００４８】
尚、変換情報の決定は、図１３、図１４に示す態様の他、例えばユーザの手動操作によって決定しても良い。その場合、Ｓ８０４において変換情報取得部３２２は、図１５に示すような変換情報選択画面をクライアント端末２のＬＣＤ６０に表示し、その選択操作の結果に基づいて変換情報を決定する。
【００４９】
尚、図１５に示す変換情報選択画面の生成に際して変換情報取得部３２２は、印刷対象の情報に含まれるマイナンバー以外の他の項目に基づいて選択肢を変更しても良い。これにより、印刷対象の情報に含まれていない項目がユーザによって選択されてしまうことを防ぐことが出来る。
【００５０】
図１５に示す変換情報選択画面における選択肢の変更に際しては、例えば図１３に示すような印刷対象の情報に含まれるタグ情報を用いても良い。即ち、変換情報取得部３２２は、タグ情報の解析により抽出された項目のみが選択肢として表示されるように、変換情報選択画面を生成することが好ましい。
【００５１】
以上説明したように、本実施形態に係る印刷データの生成処理においては、印刷対象の情報に含まれるマイナンバーを抽出する。そして、抽出したマイナンバーを、印刷対象の情報においてマイナンバーを関連付けられて表示されている他の項目に変換した上で、印刷データを出力する。これにより、マイナンバーのチェックの容易化と情報漏えいの防止とのトレードオフを解消することができる。
【００５２】
尚、上記実施形態において、マイナンバー検知部３２１は、図６に示すようにマイナンバー検知条件情報において定められた領域を検知対象とする場合を例として説明した。しかしながらこれは一例であり、印刷対象の情報に含まれる文字列情報の全てに対して検知条件の判断を行っても良い。また、元から文字列の形式になっている情報に限らず、画像情報として入力された印刷対象の情報に対してＯＣＲ（Ｏｐｔｉｃａｌ  Ｃｈａｒａｃｔｅｒ  Ｒｅｃｏｇｎｉｔｉｏｎ）処理を行って抽出された文字列情報に対してマイナンバーの検知処理を行っても良い。
【００５３】
また、上記実施形態においては、クライアント端末２にインストールされて動作するプリンタドライバ３１０の機能として、マイナンバー変換機能が実装される場合を例として説明した。この他、マイナンバー変換処理部３１２の機能を、画像形成装置であるＭＦＰ１側に搭載しても良い。
【００５４】
ＭＦＰ１においては、クライアント端末２から受信した印刷ジョブに基づいてプリントエンジンが画像形成出力を実行するために参照するビットマップデータを生成する。そのように印刷ジョブを参照して画像処理を行う際に、マイナンバー変換処理部３１２と同等の機能により、印刷ジョブ内の印刷データを解析してマイナンバーの変換処理を実現することが出来る。
【符号の説明】
【００５５】
１  ＭＦＰ
２  クライアント端末
１０  ＣＰＵ
２０  ＲＡＭ
３０  ＲＯＭ
４０  ＨＤＤ
５０  Ｉ／Ｆ
６０  ＬＣＤ
７０  操作部
８０  バス
２００  コントローラ
２０１  ネットワーク制御部
２０２  操作制御部
２０３  表示制御部
２１０  ネットワークＩ／Ｆ
３００  クライアントアプリケーション
３０１  文書編集アプリケーション
３０２  画像編集アプリケーション
３０３  ファイル管理アプリケーション
３１０  プリンタドライバ
３１１  情報取得部
３１２  マイナンバー変換部
３１３  変換情報ＤＢ
３１４  印刷データ生成部
３１５  印刷データ出力部
３２１  マイナンバー検知部
３２２  変換情報取得部
３２３  情報変換部
【先行技術文献】
【特許文献】
【００５６】
【特許文献１】特開２０１４−７８０６０号公報
【図１】
2016224857.tif 000003
【図２】
2016224857.tif 000004
【図３】
2016224857.tif 000005
【図４】
2016224857.tif 000006
【図５】
2016224857.tif 000007
【図６】
2016224857.tif 000008
【図７】
2016224857.tif 000009
【図８】
2016224857.tif 000010
【図９】
2016224857.tif 000011
【図１０】
2016224857.tif 000012
【図１１】
2016224857.tif 000013
【図１２】
2016224857.tif 000014
【図１３】
2016224857.tif 000015
【図１４】
2016224857.tif 000016
【図１５】
2016224857.tif 000017